(57)【要約】  合紙供給装置（４６）及び合紙巻取装置（４８）を駆動して、合紙（１１）を合紙走行経路（５０）に沿って走行させる。ディスクブラシ（４２）及び吸引装置（４４）を駆動する。合紙（１１）の表裏面がディスクブラシ（４２）に擦られて、表裏面に付着した異物（４５）がディスクブラシ（４２）によって掻き出され、掻き出された異物（４５）は吸引装置（４４）によって合紙（１１）から吸引除去される。そして、異物（４５）が除去されたクリーニング後の合紙（１１）が合紙巻取装置４８に巻き取られる。
2015178383.tif 000002
【特許請求の範囲】
【請求項１】
複数枚のガラス板の各々のガラス板間に介在される合紙に対し、
前記合紙の表裏面のうち少なくとも一面に当接して異物を掻き出すブラシ手段と、
前記ブラシ手段によって掻き出された前記異物を前記合紙から吸引除去する吸引手段と、
を備えるガラス板用合紙のクリーニング装置。
【請求項２】
前記合紙に対する前記ブラシ手段の面圧が０．１ｋＰａ以上１．０ｋＰａ以下である請求項１に記載のガラス板用合紙のクリーニング装置。
【請求項３】
ロール状に巻き取られた帯状の前記合紙を送り出す合紙供給手段と、
前記合紙供給手段から送り出された帯状の前記合紙をロール状に巻き取る合紙巻取手段と、
を備え、
前記ブラシ手段及び前記吸引手段は、前記合紙供給手段と前記合紙巻取手段との間の合紙走行路に配置される請求項１又は２に記載のガラス板用合紙のクリーニング装置。
【請求項４】
前記ブラシ手段は、前記合紙の一面に対して垂直方向の回転軸を有する回転ディスクブラシ、又は前記合紙の一面に対して平行方向の回転軸を有する回転ロールブラシである請求項１から３のいずれか１項に記載のガラス板用合紙のクリーニング装置。
【請求項５】
複数枚のガラス板の各々のガラス板間に介在される合紙に対し、
前記合紙の表裏面のうち少なくとも一面をブラシ手段によって擦り、前記一面の表層に存在する異物を掻き出すとともに、掻き出した前記異物を吸引手段によって前記合紙から吸引除去するガラス板用合紙のクリーニング方法。
【請求項６】
前記合紙に対する前記ブラシ手段の面圧が０．１ｋＰａ以上１．０ｋＰａ以下である請求項５に記載のガラス板用合紙のクリーニング方法。
【請求項７】
ロール状に巻き取られた帯状の前記合紙を合紙供給手段によって送り出し、合紙巻取手段によって帯状の前記合紙をロール状に巻き取りながら、前記合紙供給手段と前記合紙巻取手段との間の合紙走行路に配置された、前記ブラシ手段及び前記吸引手段によって、帯状の前記合紙から前記異物を除去する請求項５又は６に記載のガラス板用合紙のクリーニング方法。
【請求項８】
前記ブラシ手段は、ディスクブラシ又はロールブラシである請求項５から７のいずれか１項に記載のガラス板用合紙のクリーニング方法。
【請求項９】
前記合紙は、バージンパルプ製である請求項５から８のいずれか１項に記載のガラス板用合紙のクリーニング方法。
【請求項１０】
請求項５から９のいずれか１項に記載のガラス板用合紙のクリーニング方法によって異物が除去された合紙が、複数枚のガラス板の各々のガラス板間に介在されてなるガラス板積層体。
【請求項１１】
請求項１０に記載のガラス板積層体が梱包容器に梱包されてなるガラス板梱包体。
【請求項１２】
請求項５から９のいずれか１項に記載のガラス板用合紙のクリーニング方法によって異物を除去する工程を含むガラス板用合紙の製造方法。
【請求項１３】
複数枚のガラス板の各々のガラス板間に介在される合紙であって、
クラス１００００のクリーンルームにてＡ４サイズの前記合紙を重ねて１往復／ｓｅｃで擦り合わせたときの発塵量（１ｆｔ３の立方体中の０．５μｍ以上の異物の数）が１００００個以下となるガラス板用合紙。
【請求項１４】
前記合紙は、バージンパルプ製である請求項１３に記載のガラス板用合紙。
【請求項１５】
有機化合物の含有量が０．０８質量％以下である請求項１３又は１４に記載のガラス板用合紙。
【発明の詳細な説明】
【技術分野】
【０００１】
本発明は、ガラス板用合紙のクリーニング装置及びクリーニング方法及びガラス板積層体及びガラス板梱包体及びガラス板用合紙の製造方法並びガラス板用合紙に関する。
【背景技術】
【０００２】
特許文献１には、液晶ディスプレイ、プラズマディスプレイ等のＦＰＤ（Flat Panel Display）に用いられるガラス板を、緩衝材としての合紙を介して積層し、この積層体を梱包するパレットが開示されている。【０００３】
前記積層体は、ガラス板製造工場にてパレットに梱包された後、ディスプレイ組立工場にトラック等の輸送手段によって輸送される。【０００４】
前記積層体に使用される合紙は、合紙ロールから帯状の合紙を引き出し、帯状の合紙をカッターによって所定のサイズに切り出すことによって使用される。合紙としては、バージンパルプを原料としたもの、セルロースを含有したもの、又は古紙が使用される。【０００５】
一方、ディスプレイ組立工場に搬入された積層体は、ディスプレイ組立工場にて開梱されてガラス板が取り出される。このガラス板の表面には、電子デバイス用の機能層（薄膜トランジスタ（ＴＦＴ：Thin Film Transistor）、カラーフィルタ（ＣＦ：Color Filter））等が形成されるが、その機能層形成工程の前に備えられた洗浄工程にてガラス板の表面が洗浄される。
【先行技術文献】
【特許文献】
【０００６】
【特許文献１】日本国特開２０１３−２５６３１５号公報
【発明の概要】
【発明が解決しようとする課題】
【０００７】
ところで、ガラス板は、その表裏面が合紙に圧接された状態で積層されるため、ガラス板の表裏面に、合紙の異物が付着するという問題がある。【０００８】
ガラス板の表裏面に付着した前記異物は、前記洗浄工程にて除去されるものの、異物の付着量が多い場合には、洗浄により取りきれない異物が発生し品質の低下を招く。【０００９】
よって、積層体の状態において、ガラス板の表裏面に付着する前記異物の付着量を低減できれば、ガラス板の品質を向上することが可能になり機能層形成工程以後の後工程の歩留まりが向上するという利点がある。【００１０】
なお、ガラス板に付着する合紙の異物とは、合紙に存在するパルプ及び粘着性異物等の樹脂成分の屑をいい、ここでは総じてパーティクルともいう。また、前記粘着性異物とは、合紙を製造する段階で古紙を混入した際に、古紙回収ルートの途中で古紙に貼着されていた粘着テープ等の完全に固化されていない粘着成分、又は紙から脱落した紙粉や紙中に含まれる粘着性の樹脂分をいう。【００１１】
本発明は、このような事情に鑑みてなされたもので、合紙からガラス板に付着する異物の付着量を低減することができるガラス板用合紙のクリーニング装置及びクリーニング方法及びガラス板積層体及びガラス板梱包体及びガラス板用合紙の製造方法並びにガラス板用合紙を提供することを目的とする。
【課題を解決するための手段】
【００１２】
本発明の一態様のガラス板用合紙のクリーニング装置は、前記目的を達成するために、複数枚のガラス板の各々のガラス板間に介在される合紙に対し、前記合紙の表裏面のうち少なくとも一面に当接して異物を掻き出すブラシ手段と、前記ブラシ手段によって掻き出した前記異物を前記合紙から吸引除去する吸引手段と、を備える。【００１３】
本発明の一態様のガラス板用合紙のクリーニング方法は、前記目的を達成するために、複数枚のガラス板の各々のガラス板間に介在される合紙に対し、前記合紙の表裏面のうち少なくとも一面をブラシ手段によって擦り、前記一面の表層に存在する異物を掻き出すとともに、掻き出した前記異物を吸引手段によって前記合紙から吸引除去する。【００１４】
本発明の一態様のガラス板積層体は、前記目的を達成するために、本発明のガラス板用合紙のクリーニング方法によって異物が除去された合紙が、複数枚のガラス板の各々のガラス板間に介在されてなる。【００１５】
本発明の一態様のガラス板梱包体は、前記目的を達成するために、本発明のガラス板積層体が梱包容器に梱包されてなる。【００１６】
本発明の一態様のガラス板用合紙の製造方法は、前記目的を達成するために、本発明のガラス板用合紙のクリーニング方法によって異物を除去する工程を含む。【００１７】
本発明の一態様のガラス板用合紙は、前記目的を達成するために、複数枚のガラス板の各々のガラス板間に介在される合紙であって、クラス１００００のクリーンルームにてＡ４サイズの前記合紙を重ねて１往復／ｓｅｃで擦り合わせたときの発塵量（１ｆｔ３の立方体中の０．５μｍ以上の異物の数）が１００００個以下となる。【００１８】
本発明の一態様によれば、合紙の一面をブラシ手段によって擦り、一面に存在する異物を掻き出し、掻き出した異物が一面に再付着しないように、掻き出した異物を吸引手段によって吸引除去する。これにより、本発明の一態様によれば、合紙の一面からガラス板に付着する異物の付着量を低減することができる。例えば、合紙の一面からガラス板に付着した所定の大きさを有するパーティクル（例えば直径１μｍ以上）の個数を約４０％低減することができる。【００１９】
また、異物を掻き出して異物を吸引除去（以下、「クリーニング」ともいう。）した合紙を使用することにより、異物の付着量を低減したガラス板積層体、及びこのガラス板積層体を梱包容器に梱包してなるガラス板梱包体を提供できる。【００２０】
合紙の一面とは、合紙の表裏面のうち少なくとも一方の面を指すが、ガラス板積層体の両側に配置される２枚の合紙以外は、２枚のガラス板に挟まれるため、それらの合紙は表裏面がクリーニングされる。なお、上記の如くガラス板積層体に配置される位置に応じて合紙を使い分けるよりも、全ての合紙の表裏面をクリーニングすることが、合紙の管理面では好適である。【００２１】
本発明の一態様のクリーニング装置及びクリーニング方法は、前記合紙に対する前記ブラシ手段の面圧が０．１ｋＰａ以上１．０ｋＰａ以下であることが好ましい。【００２２】
本発明の一態様によれば、合紙に対するブラシ手段の面圧を０．１ｋＰａ以上１．０ｋＰａ以下としたので、ガラス板に付着する異物の付着量を許容範囲に収めることができる。前記面圧を０．１ｋＰａ以上に設定することにより、良好な面圧を得ることができるので、クリーニングを良好に行うことができ、一方、面圧を１．０ｋＰａ以下に設定したので、合紙の一面をブラシ手段によって削ることなく、クリーニングを良好に行うことができる。ブラシ手段としては、線径は０．１ｍｍ以下、毛長は約１０ｍｍ、材質はナイロン等の軟性部材であることが、異物の掻き出しに好適である。ナイロンは、ナイロン６、ナイロン６６、ナイロン６１０、ナイロン６１２およびナイロン１２から選ばれた少なくとも一種である。【００２３】
本発明の一態様のガラス板用合紙のクリーニング装置は、ロール状に巻き取られた帯状の前記合紙を送り出す合紙供給手段と、前記合紙供給手段から送り出された帯状の前記合紙をロール状に巻き取る合紙巻取手段と、を備え、前記ブラシ手段及び前記吸引手段は、前記合紙供給手段と前記合紙巻取手段との間の合紙走行路に配置されることが好ましい。【００２４】
本発明の一態様のガラス板用合紙のクリーニング方法は、ロール状に巻き取られた帯状の前記合紙を合紙供給手段によって送り出し、合紙巻取手段によって帯状の前記合紙をロール状に巻き取りながら、前記合紙供給手段と前記合紙巻取手段との間の合紙走行路に配置された、前記ブラシ手段及び前記吸引手段によって、帯状の前記合紙から前記異物を除去することが好ましい。【００２５】
本発明の一態様によれば、ロール状に巻き取られたクリーニング前の帯状の合紙を、合紙供給手段によって送り出し、帯状の合紙の搬送経路に配置されたブラシ手段と吸引手段とによって帯状の合紙の一面をクリーニングし、クリーニング後の帯状の合紙を合紙巻取手段によって巻き取る。これにより、合紙のクリーニングを自動化することができ、また、クリーニング後の合紙をロール状で保管することができる。ガラス板用の合紙として使用する場合には、クリーニング後のロールから帯状の合紙を引き出し、帯状の合紙をカッターによってガラス板のサイズに対応したサイズに切り出す。【００２６】
本発明の一態様のクリーニング装置及びクリーニング方法は、前記ブラシ手段は、前記合紙の一面に対して垂直方向の回転軸を有する回転ディスクブラシ、又は前記合紙の一面に対して平行方向の回転軸を有する回転ロールブラシであることが好ましい。【００２７】
本発明の一態様によれば、回転するディスクブラシであっても、回転するロールブラシであっても合紙の一面に付着した異物を良好に掻き出すことができる。【００２８】
合紙供給手段と合紙巻取手段とを備えたクリーニング装置にディスクブラシを適用する場合には、帯状の合紙の搬送方向に直交する方向に複数のディスクブラシを配列すればよい。また、クリーニング装置にロールブラシを適用する場合には、帯状の合紙の幅寸法よりも長いロールブラシを、帯状の合紙の搬送方向に直交する方向に配置すればよい。【００２９】
本発明の一態様のクリーニング方法は、前記合紙は、バージンパルプ製であることが好ましい。【００３０】
本発明の一態様の合紙は、有機化合物の含有量が０．０８質量％以下であることが好ましい。
【発明の効果】
【００３１】
以上説明したように本発明のガラス板用合紙のクリーニング装置及びクリーニング方法によれば、合紙からガラス板に付着する異物の付着量を低減することができる。また、本発明によれば、合紙からの異物の付着量を低減したガラス板積層体、及びこのガラス板積層体をパレットに梱包してなるガラス板梱包体を提供できる。また、本発明によれば、ガラス板に付着する異物の付着量を低減したガラス板用合紙の製造方法及びガラス板用合紙を提供できる。
【図面の簡単な説明】
【００３２】
【図１】図１は、実施形態の梱包体の全体斜視図
【図２】図２は、パレットに対する合紙とガラス板との積層形態を示した梱包体の斜視図
【図３】図３は、第１の実施形態のクリーニング装置を示す図であり、（Ａ）は第１の実施形態のクリーニング装置の側面図、（Ｂ）は第１の実施形態のクリーニング装置の要部平面図
【図４】図４は、第２の実施形態のクリーニング装置を示す図であり、（Ａ）は第２の実施形態のクリーニング装置の側面図、（Ｂ）は第２の実施形態のクリーニング装置の要部平面図板梱包体の斜視図
【発明を実施するための形態】
【００３３】
以下、添付図面に従って本発明に係るガラス板用合紙のクリーニング装置及びクリーニング方法及びガラス板積層体及びガラス板梱包体並びにガラス板用合紙の製造方法の好ましい実施形態について説明する。
【００３４】
図１は、合紙（実施形態の合紙）１０を用いて積層されたガラス板積層体（実施形態のガラス板積層体。以下、「積層体」という。）１２を、パレット（梱包容器）１４にて梱包した縦積み型のガラス板梱包体（実施形態のガラス板梱包体。以下、「梱包体」という。）１６の全体斜視図である。図２は、パレット１４に対する合紙１０とガラス板Ｇとの積層形態を示した梱包体１６の斜視図であり、矢印Ａはパレット１４に対する合紙１０及びガラス板Ｇの積層方向を示している。なお、梱包容器として、縦積みのパレット１４を例示したが、これに限定されるものではなく、積層体１２を箱詰めする箱体であってもよい。
【００３５】
〔パレット１４の構成〕
図１、図２の如く、パレット１４は、基台となる台座１８、ガラス板Ｇの下端面が載置される底受け板２０、側面視三角形状のフレーム２２、ガラス板Ｇの主面（表面および裏面のどちらか一方の面）が支持される平板状の背受け板２４、及び壁体２６等を備えて構成される。
【００３６】
底受け板２０は、台座１８の上面に備えられた搭載面２８上に、搭載面２８に対して傾斜して設けられる。フレーム２２は搭載面２８上に立設され、フレーム２２の前面の傾斜面が、底受け板２０の主面（ガラス板Ｇを下縁部が載置される面）に対して９０°〜１００°、特に好ましくは約９５°に設定され、この傾斜面に背受け板２４が立て掛けられて固定される。底受け板２０及び背受け板２４には、ガラス板Ｇを載置した際のガラス板Ｇとの接触による損傷を防止するため、ゴムや硬質の発泡性樹脂等のクッション材（不図示）が設けられている。
【００３７】
台座１８の搭載面２８の後部には壁体２６が立設され、この壁体２６にフレーム２２が支持されている。また、台座１８の前面にはフォークリフトの爪（不図示）が挿抜される一対の開口部３０が備えられている。
【００３８】
底受け板２０は、搭載面２８と底受け板２０との間に配置された複数の三角形状の底片３２を介して搭載面２８上に傾斜して載置される。また、底受け板２０は、その主面が台座１８の搭載面２８に対して好ましくは５°〜２５°、より好ましくは１０°〜２０°、特に好ましくは約１８°に傾斜して配置される。これにより、ガラス板積載装置（不図示）によるパレット１４へのガラス板積載時に、ガラス板Ｇの位置決め作業が容易になる。また、各ガラス板Ｇの主面は自重によって背受け板２４側のガラス板Ｇの主面に接するので、各ガラス板Ｇの主面間に無駄な隙間が生じることはない。更に、載置するガラス板Ｇの安定化を図ることができ、ガラス板Ｇの前方（図１の矢印Ｘの方向）へのずれや崩壊を防止でき、併せて傷や割れを防止できる。
【００３９】
なお、図１に示したパレット１４に、積層体１２のＹ方向の横ずれを規制する横押さえ部材を設けてもよい。また、図１に示したパレット１４は、積層体１２を縦積みするパレットであるが、積層体１２を水平方向に平積みする形態のパレットであってもよい。すなわち、積層体１２がパレットに梱包されてなる梱包体は、図１、図２の梱包体１６に限定されるものではない。
【００４０】
〔積層体１２〕
積層体１２は、パレット１４に対し、複数枚のガラス板Ｇと複数枚の合紙１０とを交互に積層することにより構成される。
【００４１】
〈ガラス板Ｇ〉
ガラス板Ｇは、液晶ディスプレイ用等のＦＰＤ用ガラス板に使用されるものであり、その厚さは０．７ｍｍ以下であることが好ましい。また、ガラス板Ｇは、第５世代（Ｇ５）と称される縦約１３００ｍｍ×横約１１００ｍｍのサイズのガラス板であるが、ガラス板Ｇのサイズは、第５世代に限定されるものではなく、第６世代（縦約１５００ｍｍ×横約１８００ｍｍ）以上のサイズまたは第５世代未満のガラス板であってもよい。
【００４２】
〈合紙１０〉
合紙１０は、ガラス板Ｇを保護するために、ガラス板Ｇよりも大きいサイズの紙である。また、合紙１０の上部片１０Ａは、合紙１０からガラス板Ｇを引き剥がす際に、合紙用吸着部材（不図示）に吸着保持されるため、ガラス板Ｇの上縁から所定量（例えば５０〜１００ｍｍ）食み出される。また、合紙１０の側部片１０Ｂも同様に、合紙１０からガラス板Ｇを引き剥がす際に、前記合紙用吸着部材に吸着保持されるため、ガラス板Ｇの側縁から所定量（例えば５０〜１００ｍｍ）食み出される。
【００４３】
また、本実施形態の合紙１０は、発塵量が少なくなるように製造される。合紙１０の発塵量は、以下に説明する測定方法にて異物が１００００個以下となるものであり、好ましくは８０００個以下、さらに好ましくは５０００個以下となるものである。発塵量の測定方法は、次のとおりである。Ａ４サイズに切り出した２枚の合紙１０を用意する。クラス１００００のクリーンルーム内に、内寸法が３０５×３０５×３０５ｍｍの空間を有する立方体を準備する。立法体は１つの面が開口していて、そこから合紙の取り出しが可能である。この立方体内で切り出した合紙１０を重ねて両手で擦り合わせる。擦り合わせは、１往復／ｓｅｃの速度にて１０回実施する。このときの立方体内の粒径が０．５μｍ以上の異物の数をパーティクルカウンターにて測定する。これを発塵量（１ｆｔ３の立方体中の０．５μｍ以上の異物の数）とする。
【００４４】
なお、合紙１０の原料は、バージンパルプが好ましいが、セルロース等を含有している原料でもよく古紙でもよい。また、合紙１０中の有機化合物の含有量が０．０８質量％以下であることが好ましい。有機化合物の含有量が０．０８質量％以下であると、ガラス板に有機化合物が転写しにくくなる。ここでいう有機化合物とは、ＪＩＳ  Ｐ８２２４にて測定される合紙１０の樹脂分である。
【００４５】
ガラス板用合紙１０の製造方法としては以下のとおりである。
まず、紙原料液（パルプを水で希釈した液体）を均一の厚さになるようにシート状に広げ、脱水して、湿紙（紙）を形成させる。湿紙は、プレスローラや無端帯状のフェルトなどによって、さらなる脱水とプレスとが同時に行われる。脱水されプレスされた湿紙は、１００〜１５０℃の雰囲気で乾燥される。この工程を経ることで紙の状態となる。
【００４６】
乾燥された紙は、必要に応じて、カレンダロールによる挟持搬送等によってカレンダ処理を施されて、表裏面を平滑化してもよい。また、乾燥とカレンダ処理との間で、平滑化された紙の表面に塗料等を塗布してもよい。以上の工程を経た紙は、ガラス板用合紙としてリール等に巻き取られ、ロール状にされる。
【００４７】
なお、合紙１０は、紙原料液を調製する前に、原料となるパルプの洗浄を行ってもよいし、湿紙を乾燥させる前にシャワー洗浄を行ってもよい。このような洗浄工程を経ることにより、合紙１０中の異物を減少させることができる。
【００４８】
また、合紙１０は、後述する実施形態のクリーニング装置によって、その表裏面に存在する異物が除去されたものである。すなわち、合紙１０の表裏面のうち少なくとも一面をブラシ手段によって擦り、一面の表層に存在する異物を掻き出すとともに、掻き出した異物を吸引手段によって合紙から吸引除去する工程を含んでいる。この工程は、合紙をロール状に巻き取る前に実施してもよいし、ロール状に巻き取られた合紙から送り出した帯状の合紙に実施してもよい。
【００４９】
〔クリーニング装置〕
〈第１の実施形態のクリーニング装置４０の構成〉
図３（Ａ）は、第１の実施形態のクリーニング装置４０の側面図、図３（Ｂ）は、クリーニング装置４０の要部平面図である。
【００５０】
クリーニング装置４０は、複数のディスクブラシ（ブラシ手段）４２、複数の吸引装置（吸引手段）４４、合紙供給装置（合紙供給手段）４６、及び合紙巻取装置（合紙巻取手段）４８から構成される。
【００５１】
複数のディスクブラシ４２、複数の吸引装置４４は、合紙供給装置４６と合紙巻取装置４８との間の合紙走行経路５０において、帯状の合紙１１を挟んで上下の対称位置に一対配置される。合紙１１の上下に配置された複数のディスクブラシ４２、２台の吸引装置４４は同一構成なので、ここでは、上方に配置された複数のディスクブラシ４２、２台の吸引装置４４について説明し、下方に配置された複数のディスクブラシ４２、２台の吸引装置４４については同一の符号を付して説明は省略する。
【００５２】
〈合紙供給装置４６、合紙巻取装置４８〉
合紙供給装置４６には、クリーニング前の帯状の合紙１１がロール状に巻き取られて配置される。この合紙１１は、合紙供給装置４６の巻取軸５２に巻き取られており、巻取軸５２をモータ５４によって送り出し方向に回転させることにより矢印Ｂ方向に送り出される。送り出された合紙１１は、合紙走行経路５０を通過する際にディスクブラシ４２及び吸引装置４４によって、表面および裏面に存在する異物４５が除去されてクリーニングされた後、合紙巻取装置４８の巻取軸５６に巻き取られる。巻取軸５６は、モータ５８によって巻き取り方向に回転される。
【００５３】
ここで、ディスクブラシ４２による異物４５の掻き出し時において、合紙走行経路５０を通過する合紙１１に所定のテンションを付加し、ディスクブラシ４２で押しつけて圧を加えても合紙１１に皺を発生させないことが、異物４５の掻き出し性能を向上させる点で好ましい。
【００５４】
テンションを付加する機能としては、モータ５８による巻取速度を、モータ５４による送り出し速度よりも高速に設定し、かつ合紙供給装置４６の巻取軸５２にトルク制限装置を設けることが好ましい。トルク制限装置とは、所定のトルク以上のトルクが巻取軸５２に負荷された際に、巻取軸５２をモータ５４の動力伝達系に対してスリップさせて、巻取軸５２を巻取軸５６のトルクのみに依存させて回転させる装置である。トルク制限装置を設けることにより、合紙走行経路５０を走行中の合紙１１は、常にテンションが付加されているので、ディスクブラシ４２による異物４５の掻き出しが良好に行われる。
【００５５】
なお、トルク制限装置に代えて、合紙１１の主面に対して垂直方向に移動するダンサーローラに合紙１１を巻回し、合紙走行経路５０を走行中の合紙１１にテンションを付加させてもよい。また、合紙１１の走行速度は、ディスクブラシ４２及び吸引装置４４によるクリーニング能力が十分に発揮できる速度に適宜設定されるものである。
【００５６】
〈ディスクブラシ４２〉
ディスクブラシ４２は、円盤状の支持体に複数本の軟性毛材が植設されて構成され、軟性毛材の先端部が所定の圧力（面圧）を持って合紙１１の表裏面に当接される。また、モータ６０からの動力が伝達されて矢印Ｃの如く回転される。これにより、合紙１１の表裏面に存在する異物が掻き出される。ディスクブラシ４２の回転軸Ｐ１は、合紙１１の主面に対して垂直方向に設定されるが、垂直方向とは厳密な垂直方向を意味するものではなく、ディスクブラシ４２によるクリーニング性能を担保できる許容範囲において傾斜した角度を含むものである。
【００５７】
ディスクブラシ４２は、図３（Ｂ）に示すように、合紙１１の矢印Ｂで示す送り出し方向に対し、直交する方向である合紙１１の幅方向（図３（Ｂ）のＷ方向）に所定の間隔を持って配置される。また、ディスクブラシ４２はジグザグ状に配置されており、複数のディスクブラシ４２を通過する合紙１１の全面が複数のディスクブラシ４２によって擦られる構成となっている。
【００５８】
〈吸引装置４４〉
吸引装置４４は、ディスクブラシ４２に対し、合紙１１の走行方向の上流側及び下流側にディスクブラシ４２に近接して配置される。
【００５９】
吸引装置４４は、合紙１１の矢印Ｂで示す送り出し方向に対し、直交する方向に長手軸を有する筐体６２、及び吸引ポンプ６４を備えて構成される。
【００６０】
吸引装置４４の配置位置は、前記上流側及び下流側の２箇所に限定されず、少なくとも下流側に設置すればよい。上流側の吸引装置４４は、ディスクブラシ４２による異物掻き出し前の予備洗浄の機能を有し、下流側の吸引装置４４は、ディスクブラシ４２によって掻き出された異物４５を吸引除去する機能を有する。よって、吸引装置４４は、少なくとも下流側に設置すればよい。
【００６１】
筐体６２の長さＬ１は、合紙１１の幅Ｗよりも長く、かつ、合紙１１の幅全域を覆うように合紙１１に対し、離間して配置される。筐体６２の合紙対向面には、吸引口６６が筐体６２の長手方向に沿って複数本又は１本のスリットとして設けられている。よって、ディスクブラシ４２が回転駆動され、かつ吸引ポンプ６４が駆動されることにより、ディスクブラシ４２によって掻き出された異物４５が吸引口６６から筐体６２を介して吸引ポンプ６４によって吸引除去される。
【００６２】
なお、吸引手段の形態は、吸引装置４４に限定されるものではなく、ディスクブラシ４２によって掻き出された異物４５を、合紙１１に再付着させることなく吸引除去できる形態であれば適用できる。例えば、ディスクブラシ４２に吸引口を設け、この吸引口と吸引ポンプ６４とをロータリージョイントを介して接続し、ディスクブラシ４２にて掻き出された異物４５をディスクブラシ４２の吸引口から吸引除去する形態でもよい。また、全てのディスクブラシ４２を筐体で覆い、この筐体の吸引口から吸引除去する形態でもよい。
【００６３】
〈クリーニング装置４０の作用〉
合紙供給装置４６及び合紙巻取装置４８を駆動して、合紙１１を合紙走行経路５０に沿って、所定のテンションを付加させた状態で走行させる。
【００６４】
合紙１１の走行が開始されると、ディスクブラシ４２及び吸引装置４４を駆動する。
【００６５】
これにより、合紙１１の表裏面が回転するディスクブラシ４２に擦られて、表裏面に付着した異物４５がディスクブラシ４２によって掻き出され、掻き出された異物４５は吸引装置４４によって合紙１１から吸引除去される。そして、異物４５が除去されたクリーニング後の合紙１１が合紙巻取装置４８に巻き取られる。
【００６６】
したがって、実施形態のクリーニング装置４０によれば、合紙１１のクリーニングを自動化することができる。また、クリーニング後の合紙１１をロール状で保管することができる。
【００６７】
この後、ガラス板Ｇ用の合紙１０として使用する場合には、クリーニング後のロールから帯状の合紙１１を引き出し、帯状の合紙１１をカッターによってガラス板のサイズに対応したサイズに切り出す。よって、図１に示した積層体１２では、合紙１０からガラス板Ｇに付着する異物４５の付着量を低減できる。
【００６８】
これにより、合紙１０からの異物４５の付着量を低減した積層体１２、及びこの積層体１２をパレット１４に梱包してなる梱包体１６を提供できる。
【００６９】
〈第２の実施形態のクリーニング装置７０の構成〉
図４（Ａ）は、第２の実施形態のクリーニング装置７０の側面図、図４（Ｂ）は、クリーニング装置７０の要部平面図である。
【００７０】
クリーニング装置７０は、図３に示したクリーニング装置４０に対し、ディスクブラシ４２に代えてロールブラシ７２を使用した点が相違し、他の構成部材は同一である。よって、同一の構成部材については同一の符号を付し、その説明は省略する。
【００７１】
ロールブラシ７２は、その回転軸の表面に複数本の軟性毛材が植設されて構成され、軟性毛材の先端部が所定の圧力（面圧）を持って合紙１１の表裏面に当接される。また、モータ７４からの動力が伝達されて矢印Ｄの如く回転される。これにより、合紙１１の表裏面に存在する異物４５が掻き出される。
【００７２】
ロールブラシ７２の回転軸Ｐ２は、合紙１１の主面に対して平行方向に設定されるが、平行方向とは厳密な垂直方向を意味するものではなく、ロールブラシ７２によるクリーニング性能を担保できる許容範囲において傾斜した角度を含むものである。
【００７３】
ロールブラシ７２は、合紙１１の矢印Ｂで示す送り出し方向に対し、直交する方向に配置され、かつ、ロールブラシ７２の長さＬ２は、合紙１１の幅Ｗよりも長く、かつ、合紙１１の幅全域を覆うよう配置される。
【００７４】
〈クリーニング装置７０の作用〉
合紙供給装置４６及び合紙巻取装置４８を駆動して、合紙１１を合紙走行経路５０に沿って、所定のテンションを付加させた状態で走行させる。
【００７５】
合紙１１の走行が開始されると、ロールブラシ７２及び吸引装置４４を駆動する。
【００７６】
これにより、合紙１１の表裏面が回転するロールブラシ７２に擦られて、表裏面に付着した異物４５がロールブラシ７２によって掻き出され、掻き出された異物４５は吸引装置４４によって合紙１１から吸引除去される。そして、異物４５が除去されたクリーニング後の合紙１１が合紙巻取装置４８に巻き取られる。
【００７７】
したがって、実施形態のクリーニング装置７０によれば、図３に示したクリーニング装置４０と同様の効果を得ることができる。
【００７８】
〔クリーニング装置の他の形態〕
実施形態では、図３、図４に示したクリーニング装置４０、７０によって合紙１１をクリーニングしたが、合紙１１のクリーニング装置及びクリーニング方法は、これに限定されるものではない。例えば、クリーニング前の合紙１１から所定サイズに切断されたクリーニング前の合紙１０をディスクブラシ４２、ロールブラシ７２、吸引装置４４にて枚葉式にクリーニングしてもよい。また、ブラシ手段としてもディスクブラシ４２、ロールブラシ７２に限定されるものでもなく、合紙１０、１１の表層に存在する異物４５を掻き出し可能なブラシ手段であれば適用できる。
【００７９】
更に、図３、図４に示したクリーニング装置４０、７０は、合紙１１を走行させる形態であるが、合紙１１を走行させることなくブラシ手段（ディスクブラシ４２、ロールブラシ７２）と吸引装置４４とを合紙１１に対して移動させて合紙１１をクリーニングする形態であってもよい。更にまた、合紙１１及びブラシ手段（ディスクブラシ４２、ロールブラシ７２）、吸引装置４４の双方を対向する方向に移動させる形態であってもよい。
【００８０】
〔実施例１〕
１）バージンパルプ製の合紙１１を用い、その合紙１１の表面を図３に示したクリーニング装置４０にてクリーニングし、表裏面に存在する異物４５を除去した。クリーニング装置４０のディスクブラシ４２としては、材質がナイロン、線径が０．０７ｍｍ、毛長が１０ｍｍのディスクブラシを使用した。このときの合紙１１に対するディスクブラシ４２の面圧を０．３ｋＰａに設定した。
【００８１】
２）合紙１１のクリーニングした表面を、縦３７０ｍｍ×横４７０ｍｍのガラス板Ｇの表面（電子デバイス用の機能層形成面）に接触させて、２ｋＰａ相当の面圧を加えて双方を圧接した。
【００８２】
３）上記圧接状態で、温度４０度、湿度２５％の環境で１２時間保管し、その後、ガラス板の表面から合紙１１を剥がし、その表面に付着した、合紙１１からの異物数を確認した。その結果は市販のパーティクル測定機（東レエンジニアリング株式会社製、ＨＳ７３０）で測定したところ約３１００個であった。
【００８３】
これに対して、クリーニングを実施しない、バージンパルプ製の合紙の場合には、ガラス板の表面に付着した異物個数は、約５５００個であった。
【００８４】
よって、クリーニングを行った合紙１１を使用することにより、ガラス板Ｇの表面に付着する異物の個数が大幅に低減することを確認した。
【００８５】
〔実施例２〕
１）バージンパルプ製の合紙１１を用い、その合紙１１の表面を図４に示したクリーニング装置７０にてクリーニングし、表裏面に存在する異物４５を除去した。クリーニング装置７０のロールブラシ７２としては、材質がナイロン、線径が０．０７ｍｍ、毛長が２０ｍｍのロールブラシを使用した。このときの合紙１１に対するロールブラシ７２の面圧を０．２ｋＰａに設定した。合紙１１の走行速度を、図３のクリーニング装置４０と同速度に設定した。
【００８６】
２）合紙１１のクリーニングした表面を、縦３７０ｍｍ×横４７０ｍｍのガラス板Ｇの表面（電子デバイス用の機能層形成面）に接触させて、２ｋＰａ相当の面圧を加えて双方を圧接した。
【００８７】
３）上記圧接状態で、温度４０度、湿度２５％の環境で１２時間保管し、その後、ガラス板の表面から合紙１１を剥がし、その表面に付着した、合紙１１からの異物数を確認した。その結果は、前記パーティクル測定機で測定したところ約４０００個であった。
【００８８】
よって、クリーニングを行った合紙１１を使用することにより、ガラス板Ｇの表面に付着する異物の個数が大幅に低減することを確認した。
【００８９】
〔実施例３〕
１）バージンパルプ製の合紙（長良製紙社製：きらり−ＤII）を用い、クリーニング処理前後の合紙の発塵量を測定する。クリーニング処理は、実施例１と同様である。
２）発塵量の測定は以下のとおりとした。合紙をＡ４サイズに２枚切り出し、クラス１００００のクリーンルーム内の内寸法が３０５×３０５×３０５ｍｍの立方体中で、切り出した合紙を重ねて両手で擦り合わせた。擦り合わせは、１往復／ｓｅｃの速度にて１０回実施し、このときの立方体内の粒径が０．５μｍ以上の異物の数をパーティクルカウンターにて測定した。
３）その結果、クリーニング処理前の合紙の発塵量は１６２００個であった。それに対してクリーニング処理後の発塵量は９２００個となる。
よって、クリーニングを行った合紙は、発塵量が大幅に低減する。
【００９０】
本出願は、２０１４年５月１９日出願の日本特許出願、特願２０１４−１０３４０７に基づくものであり、その内容はここに参照として取り込まれる。
【符号の説明】
【００９１】
Ｇ…ガラス板、１０…合紙、１２…積層体、１４…パレット、１６…梱包体、１８…台座、２０…底受け板、２２…フレーム、２４…背受け板、２６…壁体、２８…搭載面、３０…開口部、３２…底片、４０…クリーニング装置、４２…ディスクブラシ、４４…吸引装置、４５…異物、４６…合紙供給装置、４８…合紙巻取装置、５０…合紙走行経路、５２…巻取軸、５４…モータ、５６…巻取軸、５８…モータ、６０…モータ、６２…筐体、６４…吸引ポンプ、６６…吸引口、７０…クリーニング装置、７２…ロールブラシ、７４…モータ
【図１】
2015178383.tif 000003
【図２】
2015178383.tif 000004
【図３】
2015178383.tif 000005
【図４】
2015178383.tif 000006
【国際調査報告】
2015178383.tif 000007
2015178383.tif 000008
2015178383.tif 000009
2015178383.tif 000010